(57)【特許請求の範囲】
【請求項１】
固定レートの音声符号化方式で符号化した符号化音声データをパケットのペイロードに挿入して対向装置に向けて送信する音声通信装置において、
当該音声通信装置から上記対向装置への伝送路の状態を把握する伝送路状態把握手段と、
把握した伝送路状態に応じて、組み立てる上記パケットのペイロードサイズを変更するパケット生成手段と、
上記対向装置から当該音声通信装置への伝送路の状態を検出する伝送路状態検出手段と、
送信するパケットにおけるシーケンス番号の欠落パターンを意図したものとし、上記対向装置から当該音声通信装置への伝送路状態の情報を上記対向装置へ通知させる伝送路状態通知手段と
を有することを特徴とする音声通信装置。
【請求項２】
固定レートの音声符号化方式で符号化した符号化音声データをパケットのペイロードに挿入して対向装置に向けて送信する２つの音声通信装置がネットワークを介して対向している音声通信システムにおいて、
上記各音声通信装置として、請求項１に記載の音声通信装置を適用していることを特徴とする音声通信システム。
【請求項３】
固定レートの音声符号化方式で符号化した符号化音声データをパケットのペイロードに挿入して対向装置に向けて送信する音声通信装置に搭載されるコンピュータを、
当該音声通信装置から上記対向装置への伝送路の状態を把握する伝送路状態把握手段と、
把握した伝送路状態に応じて、組み立てる上記パケットのペイロードサイズを変更するパケット生成手段と、
上記対向装置から当該音声通信装置への伝送路の状態を検出する伝送路状態検出手段と、
送信するパケットにおけるシーケンス番号の欠落パターンを意図したものとし、上記対向装置から当該音声通信装置への伝送路状態の情報を上記対向装置へ通知させる伝送路状態通知手段と
して機能させることを特徴とする音声通信プログラム。
【発明の詳細な説明】
【技術分野】
【０００１】
本発明は、音声通信システム、音声通信装置及びプログラムに関し、例えば、携帯電話やスマートフォンに適用し得るものである。
【背景技術】
【０００２】
近年では、ＶｏＩＰ技術を利用した音声通信であるＩＰ電話端末（ソフトフォンを含む）が広く普及してきた。ＩＰ電話端末は、音声の情報をＩＰパケット化して、ＩＰネットワークを介して伝送することにより、通話相手に音声を伝える。ＩＰ電話端末の形態も、スマートフォンなどの携帯型端末が普及してきた。携帯型のＩＰ電話端末では、音声データの伝送路として、いわゆる３Ｇ（３世代）ネットワークを用いるため、その時点での使用ユーザ数などに応じて伝送帯域が割り当てられるため、必ずしも十分な伝送帯域が割り当てられない場合がある。
【０００３】
割り当てられる伝送帯域は時々刻々変化するため、それに応じて伝送レートを可変できると都合が良い。例えば、非特許文献１で規定されているような可変レート型の音声符号化方式を用いることにより、上述したような伝送帯域の問題を解決できる可能性はある。また、特許文献１には、ＲＴＰ（リアルタイムプロトコル）パケットにおけるシーケンス番号を省略して伝送することにより、伝送帯域を軽減することが記載されている。
【先行技術文献】
【特許文献】
【０００４】
【特許文献１】特表２０１０−５１５３４６号公報
【非特許文献】
【０００５】
【非特許文献１】ＩＴＵ−Ｔ  Ｇ．７２２．２
【発明の概要】
【発明が解決しようとする課題】
【０００６】
しかしながら、ＩＰ電話に利用される音声符号化方式は、固定レート型である場合が多く、この場合には、符号化レートを変更することによって伝送レートを制御することはできない。
【０００７】
特許文献１の記載技術のようにシーケンス番号を省略することで伝送レートを高めることは可能であるが、この方法では、シーケンス番号を省略した分しか伝送レートを高めることができず、伝送帯域の変化量をカバーすることができない。また、シーケンス番号を省略したことに伴って、送信側及び受信側の処理が非常に複雑なものとなっている。
【０００８】
本発明は、以上の点に鑑みなされたものであり、固定レート型の音声符号化方式が適用されていても伝送レートを可変とし、変化する伝送路の状態（帯域に）適合可能な音声通信システム、音声通信装置及びプログラムが望まれている。
【課題を解決するための手段】
【００１０】
第１の本発明は、固定レートの音声符号化方式で符号化した符号化音声データをパケットのペイロードに挿入して対向装置に向けて送信する２つの音声通信装置がネットワークを介して対向している音声通信システムにおいて、上記各音声通信装置として、（１）当該音声通信装置から上記対向装置への伝送路の状態を把握する伝送路状態把握手段と、（２）把握した伝送路状態に応じて、組み立てる上記パケットのペイロードサイズを変更するパケット生成手段と、（３）上記対向装置から当該音声通信装置への伝送路の状態を検出する伝送路状態検出手段と、（４）送信するパケットにおけるシーケンス番号の欠落パターンを意図したものとし、上記対向装置から当該音声通信装置への伝送路状態の情報を上記対向装置へ通知させる伝送路状態通知手段とを有する音声通信装置を適用していることを特徴とする。
【００１１】
第２の本発明の音声通信プログラムは、固定レートの音声符号化方式で符号化した符号化音声データをパケットのペイロードに挿入して対向装置に向けて送信する音声通信装置に搭載されるコンピュータを、（１）当該音声通信装置から上記対向装置への伝送路の状態を把握する伝送路状態把握手段と、（２）把握した伝送路状態に応じて、組み立てる上記パケットのペイロードサイズを変更するパケット生成手段と、（３）上記対向装置から当該音声通信装置への伝送路の状態を検出する伝送路状態検出手段と、（４）送信するパケットにおけるシーケンス番号の欠落パターンを意図したものとし、上記対向装置から当該音声通信装置への伝送路状態の情報を上記対向装置へ通知させる伝送路状態通知手段として機能させることを特徴とする。
【００１２】
第３の本発明は、固定レートの音声符号化方式で符号化した符号化音声データをパケットのペイロードに挿入して対向装置に向けて送信する音声通信装置において、（１）当該音声通信装置から上記対向装置への伝送路の状態を把握する伝送路状態把握手段と、（２）把握した伝送路状態に応じて、組み立てる上記パケットのペイロードサイズを変更するパケット生成手段と、（３）上記対向装置から当該音声通信装置への伝送路の状態を検出する伝送路状態検出手段と、（４）送信するパケットにおけるシーケンス番号の欠落パターンを意図したものとし、上記対向装置から当該音声通信装置への伝送路状態の情報を上記対向装置へ通知させる伝送路状態通知手段とを有することを特徴とする。
【発明の効果】
【００１３】
本発明によれば、固定レート型の音声符号化方式が適用されていても伝送レートを可変とし、変化する伝送路の状態（帯域に）適合することができる。
【図面の簡単な説明】
【００１４】
【図１】実施形態に係る音声通信装置の構成を示すブロック図である。
【図２】実施形態の音声通信装置におけるＲＴＰ生成・送信回路の詳細構成を示すブロック図である。
【図３】実施形態の音声通信装置におけるＲＴＰ生成・送信回路で生成されるＲＴＰパケットの構成を示す説明図である。
【図４】実施形態の音声通信装置におけるＲＴＰ受信・ロス監視回路の詳細構成を示すブロック図である。
【発明を実施するための形態】
【００１５】
（Ａ）主たる実施形態
以下、本発明による音声通信システム、音声通信装置及びプログラムの一実施形態を、図面を参照しながら詳述する。実施形態の音声通信システムは、実施形態の音声通信装置がネットワークを介して対向しているシステムである。
【００１６】
（Ａ−１）実施形態の構成
図１は、実施形態に係る音声通信装置の構成を示すブロック図である。図１において、第１の実施形態の音声通信装置１は、マイクロフォン１０、アナログ／デジタル変換器（Ａ／Ｄ）１１、音声符号化回路１２、ＲＴＰ生成・送信回路１３、ＲＴＰ受信・ロス監視回路１４、音声復号回路１５、デジタル／アナログ変換器（Ｄ／Ａ）１６及びスピーカ１７を有する。
【００１７】
ここで、音声符号化回路１２、ＲＴＰ生成・送信回路１３、ＲＴＰ受信・ロス監視回路１４及び音声復号回路１５は、専用的な回路として構成するだけでなく、ＣＰＵと、ＣＰＵが実行するプログラムで実現するようにしても良い。
【００１８】
マイクロフォン１０は、送話者が発した音声（発話音声）を捕捉するものであり、アナログ／デジタル変換器１１は、捕捉されて得られたアナログ音声信号をデジタル音声信号Ｓｓに変換するものである。
【００１９】
音声符号化回路１２は、デジタル音声信号Ｓｓを固定の符号化レートで符号化し、符号化音声データＣｓを出力するものである。例えば、固定符号化レートの音声符号化方式として、ＩＴＵ−Ｔ  Ｇ．７１１に規定の方式を適用できる。符号化に際しては、デジタル音声信号Ｓｓを所定期間（フレーム）ずつに切り分けて処理する。このような所定期間として、例えば、２０ｍｓを適用できる。
【００２０】
ＲＴＰ生成・送信回路１３は、後述する図２に示すような詳細構成を有し、符号化音声データＣｓをペイロードに含むＲＴＰパケットＲｓを生成してネットワークに向けて送信するものである。ＲＴＰ生成・送信回路１３の詳細機能については後述する。
【００２１】
ＲＴＰ受信・ロス監視回路１４は、後述する図４に示すような詳細構成を有し、ネットワークから到来したＲＴＰパケットＲｄを分解し、取り出した符号化音声データＣｄを音声復号回路１５に与えるものである。
【００２２】
音声復号回路１５は、符号化音声データＣｄに対して音声復号処理を行い、デジタル音声信号Ｓｄを得るものである。
【００２３】
デジタル／アナログ変換器１６は、デジタル音声信号Ｓｄをアナログ音声信号に変換し、スピーカ１７は、そのアナログ音声信号を発音出力するものである。
【００２４】
図２は、ＲＴＰ生成・送信回路１３の詳細構成を示すブロック図である。図２において、ＲＴＰ生成・送信回路１３は、符号化音声データバッファ２０、ＲＴＰパケット組立部２１、ペイロードサイズ制御部２２及びヘッダ情報提供部２３を有する。
【００２５】
符号化音声データバッファ２０は、音声符号化回路１２から与えられ、ＲＴＰパケットのペイロードに挿入されるのを待っている符号化音声データをバッファリングしているものである。
【００２６】
ＲＴＰパケット組立部２１は、符号化音声データバッファ２０にバッファリングされている符号化音声データと、ヘッダ情報提供部２３が提供するヘッダ情報とから、ＲＴＰパケットを組み当てて出力するものである。
【００２７】
ペイロードサイズ制御部２２は、ＲＴＰ受信・ロス監視回路１４から与えられた伝送レート制御信号Ｐの値や変化に基づき、１つのＲＴＰパケットのペイロードに挿入する符号化音声データの量（以下では、ペイロードサイズと呼ぶこともある）を、ＲＴＰパケット組立部２１に指示するものである。ここで、ペイロードサイズは、２０ｍｓ分（フレーム分）のデジタル音声信号を符号化したデータ量（以下、単位データ量と呼ぶ；その量をｘとする）ずつ異なるようになされている。
【００２８】
図３は、この実施形態の通信システムにおけるＲＴＰパケットの構成を示す説明図である。図３（Ａ）は、ヘッダ（Ｈ）に１つの単位データ量の符号化音声データＤ１、Ｄ２、Ｄ３、Ｄ４が付いたＲＴＰパケットを４つ示している。図３（Ｂ）は、ヘッダ（Ｈ）に２つの単位データ量の符号化音声データＤ１及びＤ２、Ｄ３及びＤ４が付いたＲＴＰパケットを２つ示している。図３（Ｃ）は、ヘッダ（Ｈ）に４つの単位データ量の符号化音声データＤ１〜Ｄ４が付いたＲＴＰパケットを１つ示している。
【００２９】
ここで、４つの単位データ量の符号化音声データＤ１〜Ｄ４をネットワークに送出するのに、図３（Ａ）〜（Ｃ）のそれぞれのＲＴＰパケットを利用する場合を考える。図３（Ｃ）に示すＲＴＰパケットを利用する場合、伝送路に送出されたデータ量は、ヘッダのデータ量をｙとすると４ｘ＋ｙとなる。図３（Ｂ）に示すＲＴＰパケットを利用する場合、伝送路に送出されたデータ量は４ｘ＋２ｙとなる。図３（Ａ）に示すＲＴＰパケットを利用する場合、伝送路に送出されたデータ量は４ｘ＋４ｙとなる。すなわち、ヘッダに付与する単位データ量の符号化音声データの数によって（言い換えると、ペイロードサイズによって）、伝送路に所定時間当りに流れるデータ量である伝送レートを制御することができる。
【００３０】
ペイロードサイズ制御部２２は、ＲＴＰ受信・ロス監視回路１４から「１」の伝送レート制御信号Ｐが与えられた場合には、今までよりペイロードサイズを２０ｍｓだけ大きくするように制御する。また、ペイロードサイズ制御部２２は、ＲＴＰ受信・ロス監視回路１４からの伝送レート制御信号Ｐが「０」をとる連続時間が所定時間を越えると、今までよりペイロードサイズを２０ｍｓだけ小さくするように制御すると共に、計時している連続時間を０クリアし、最初から計時し直すようにする。
【００３１】
ここで、通話開始時のデフォルトのペイロードサイズは任意であるが、例えば、最小サイズにするようにしても良い。また、ペイロードサイズに上限を設けないようにしても良いが、ペイロードサイズが大きくなればなるほど、ＲＴＰパケットの生成遅延が大きくなるので、上限を設けるようにしても良い。上限を設けた場合には、上限のペイロードサイズに達しているときに、「１」の伝送レート制御信号Ｐが与えられても上限のペイロードサイズを維持することになる。
【００３２】
ヘッダ情報提供部２３は、生成するＲＴＰパケットのヘッダの情報を提供するものである。この実施形態の場合、ヘッダ情報提供部２３が提供するヘッダ情報のうち、シーケンス番号の形成に特徴を有している。ヘッダ情報提供部２３は、シーケンス番号制御信号Ｑが「１」であった場合には、シーケンス番号の下１桁が「０」となるＲＴＰパケットを所定回数（例えば、１０回）だけ生成しないようにする動作を行う（ネットワークに送信しないこととする）。ヘッダ情報提供部２３は、シーケンス番号制御信号Ｑが「０」であった場合には、通常の動作を行う。
【００３３】
例えば、シーケンス番号が「０１２９」のＲＴＰパケットを生成した後に、「１」のシーケンス番号制御信号Ｑが与えられた場合には、次のＲＴＰパケットのシーケンス番号を「０１３１」とし、シーケンス番号が「０１３０」のＲＴＰパケットが生成されないようにする。所定回数が１０回であれば、同様に、シーケンス番号が「０１４０」、「０１５０」、「０１６０」、「０１７０」、「０１８０」、「０１９０」、「０２００」、「０２１０」、「０２２０」のＲＴＰパケットは生成されない。なお、一旦、ＲＴＰパケットを生成した後、直ちに廃棄するようにしても良いが、廃棄されたＲＴＰパケットのペイロードに挿入されている符号化音声データが無駄になるので、当初より生成しないことが好ましい。また、生成しないＲＴＰパケットの送信タイミングでは当然に送信がなされず、送信が空となる。なお、シーケンス番号を飛ばすだけであり、送信タイミングでは常時ＲＴＰパケットを送信するようにしても良い。
【００３４】
図４は、ＲＴＰ受信・ロス監視回路１４の詳細構成を示すブロック図である。図４において、ＲＴＰ受信・ロス監視回路１４は、ＲＴＰパケット分解部３０、符号化音声データバッファ３１、伝送レート指示部３２及びロス率監視部３３を有する。
【００３５】
ＲＴＰパケット分解部３０は、ネットワークから到来したＲＴＰパケットを分解し、符号化音声データを抽出するものである。また、ＲＴＰパケット分解部３０は、受信したＲＴＰパケットのヘッダからシーケンス番号を取り出して、
伝送レート指示部３２及びロス率監視部３３に与えるものである。
【００３６】
符号化音声データバッファ３１は、ＲＴＰパケット分解部３０から出力された符号化音声データをバッファリングし、ＲＴＰパケットの到来揺らぎ（ジッタ）を吸収して出力するものである。
【００３７】
伝送レート指示部３２は、シーケンス番号の下１桁が「０」となるＲＴＰパケットが到来しない連続回数を監視するものである。伝送レート指示部３２は、この連続回数が所定回数に達したときに、「１」の伝送レート制御信号Ｐをペイロードサイズ制御部２２に与え、これ以外では、伝送レート制御信号Ｐの値を「０」に維持するものである。シーケンス番号の下１桁が「０」となるＲＴＰパケットが到来しない連続回数が所定回数に達することは、対向する音声通信装置が、当該音声通信装置からのＲＴＰパケットが通っていく伝送路の状態が悪い（伝送帯域を越えて当該音声通信装置がＲＴＰパケットを送出している）と判断したことを表している。
【００３８】
ロス率監視部３３は、所定時間（例えば１０秒）ごとに、ロス率を計算する。ロス率は、受信したＲＴＰパケットのシーケンス番号に基づいて、伝送路で廃棄されたＲＴＰパケットを認識することを行うが、この実施形態のロス率監視部３３は、シーケンス番号の下１桁が「０」となるＲＴＰパケットが到来しないことを、ロス率の算出には反映しないものとなっている。ロス率監視部３３は、ロス率が閾値を越えた場合には、「１」のシーケンス番号制御信号Ｑをヘッダ情報提供部２３に与え、ロス率が閾値以下の場合には、「０」のシーケンス番号制御信号Ｑをヘッダ情報提供部２３に与える。これにより、ＲＴＰ生成・送信回路１３から、シーケンス番号の下１桁が「０」となるＲＴＰパケットが所定回数出力されず、対向する音声通信装置へ、ロス率が高いこと（伝送路の状態が悪いこと）を検出したことを通知することができる。
【００３９】
（Ａ−２）実施形態の動作
次に、以上のような構成を有する実施形態に係る音声通信装置１の動作を説明する。以下の説明において、構成要素の符号末尾に「−１」又は「−２」を付して、通信に供している２つの音声通信装置のうち、第１の音声通信装置１−１に関するものか、第２の音声通信装置１−２に関するものかを区別する。
【００４０】
第１の音声通信装置１−１において、送話者が発した音声（発話音声）は、マイクロフォン１０−１で捕捉され、アナログ／デジタル変換器１１−１によってデジタル音声信号Ｓｓ−１に変換される。このデジタル音声信号Ｓｓ−１は、音声符号化回路１２−１によって、固定の符号化レートで符号化され、得られた符号化音声データＣｓ−１が、ＲＴＰ生成・送信回路１３−１においてＲＴＰパケットＲｓ−１に組み立てられて、対向する第２の音声通信装置１−２に向けて送信される。
【００４１】
対向する第２の音声通信装置１−２が送信し、当該第１の音声通信装置１−１に到来したＲＴＰパケットＲｄ−１は、ＲＴＰ受信・ロス監視回路１４−１で分解され、抽出された符号化音声データＣｄ−１は、音声復号回路１５−１において復号され、デジタル音声信号Ｃｄ−１が復元される。このデジタル音声信号Ｃｄ−１は、デジタル／アナログ変換器１６−１においてアナログ音声信号に変換された後、スピーカ１７−１によって発音出力される。
【００４２】
ここで、当該第１の音声通信装置１−１から対向する第２の音声通信装置１−２に向かう伝送路の状態が悪く、ＲＴＰパケットの廃棄が頻発し、ロス率が閾値を越えるようになると、第２の音声通信装置１−２（のＲＴＰ生成・送信回路１３−２）から、シーケンス番号の下１桁が「０」となるＲＴＰパケットが所定回数だけ連続して送出されない。
【００４３】
当該第１の音声通信装置１−１のＲＴＰ受信・ロス監視回路１４−１によって、シーケンス番号の下１桁が「０」となるＲＴＰパケットの所定回数連続した空送出が検出されると、ＲＴＰ受信・ロス監視回路１４−１からＲＴＰ生成・送信回路１３−１へ、「１」の伝送レート制御信号Ｐ−１が与えられる。これにより、ＲＴＰパケットＲｓ−１のペイロードサイズが、ＲＴＰ生成・送信回路１３−１によって２０ｍｓだけ増加され、当該第１の音声通信装置１−１から対向する第２の音声通信装置１−２に向かう伝送路への伝送レートが低下される。
【００４４】
また、対向する第２の音声通信装置１−２から当該第１の音声通信装置１−１に向かう逆方向の伝送路の状態は、当該第１の音声通信装置１−１のＲＴＰ受信・ロス監視回路１４−１によってロス率として検出される。ロス率が閾値を越えると、ＲＴＰ受信・ロス監視回路１４−１からＲＴＰ受信・ロス監視回路１４−１に、「１」のシーケンス番号制御信号Ｑ−１が与えられる。これにより、ＲＴＰ生成・送信回路１３−１から、シーケンス番号の下１桁が「０」となるＲＴＰパケットが所定回数出力されず、対向する音声通信装置１−１へロス率が高いこと（伝送路の状態が悪いこと）が通知される。
【００４５】
（Ａ−３）実施形態の効果
以上のように、上記実施形態によれば、固定レート型の音声符号化方式を適用しながら、ＲＴＰパケットのペイロードサイズを適宜変更するようにしたので、伝送レートを可変とでき、変化する伝送路の状態（帯域）に適合することができる。
【００４６】
（Ｂ）他の実施形態
上記実施形態においては、双方向共に、伝送路の状態（ロス率）を監視するものを示したが、片方向（例えば、発呼側装置から着呼側装置への方向）だけ監視し、他の方向については、監視している方向と同じ制御を行うようにしても良い。例えば、ロス率を検出している方から送信するＲＴＰパケットのペイロードサイズは、到来したＲＴＰパケットのペイロードサイズと同じになるように制御すれば良い。
【００４７】
上記実施形態においては、ＲＴＰパケットのペイロードサイズを１段階ずつ上げるか又は下げる制御を行うものを示したが、ペイロードサイズの制御方法は、これに限定されない。例えば、伝送路の状態（ロス率）に応じ、相手側へ、ＲＴＰパケットのペイロードサイズの絶対的な段階を指示するようにしても良い。また、ロス率と比較する閾値を複数設け、ペイロードサイズの上昇又は下降の変化として、１段階から所定段階の間で指示できるようにしても良い。このような場合において、送信しないＲＴＰパケットのシーケンス番号の下１桁の値を変えることで多くの指示に対応できるようにしても良く、送信しない空パケットの出現パターン（配置パターン）によって多くの指示に対応できるようにしても良い。
【００４８】
上記実施形態においては、伝送路状態をロス率で捉えるものを示したが、他の方法で捉えるようにしても良い。
【００４９】
例えば、相手装置が折り返すＯＡＭ（保守／運用／管理）パケットを送信し、複数のＯＡＭパケットの往復時間の時間変動を、伝送路状態を表すものとして、ＲＴＰパケットのペイロードサイズを制御するようにしても良い。この場合であれば、ペイロードサイズを制御する装置が伝送路状態を把握できるので、対向装置へ伝送路状態を通知することが不要となる。
【００５０】
また例えば、ＲＴＰパケットに挿入されているタイムスタンプから、片道の伝送時間を検出し、複数の伝送時間の揺らぎを、伝送路状態を表すものとして捉え、対向装置に通知して、ＲＴＰパケットのペイロードサイズを制御させるようにしても良い。
【００５１】
さらに例えば、通話状態に入る前のネゴシエーション段階で、ＯＡＭパケットなどを利用して伝送路状態を捉えてＲＴＰパケットのペイロードサイズを定め、通話状態では、定めたペイロードサイズを維持するようにしても良い。
【００５２】
上記実施形態においては、シーケンス番号の下１桁が「０」となるＲＴＰパケットの送出を所定回数だけ中止することで、対向装置に、所定情報（伝送路状態情報）を通知するものを示したが、他の通知方法を適用するようにしても良い。例えば、ペイロードの最初に通知情報を盛り込むようにしても良い。また、ＲＴＰパケットを送信させるタイミングが、タイムスタンプの下位数桁が複数の所定値のいずれかになる通信システムであれば、いずれかの所定値のＲＴＰパケットの送信を中止することで、対向装置に所定情報を通知するようにしても良い。
【００５３】
上記実施形態においては、シーケンス番号の下１桁が「０」となるＲＴＰパケットの送出を所定回数だけ中止することで、対向装置に、伝送路状態を通知するものを示したが、この方法によって、他の情報を対向装置に通知するようにしても良い。例えば、送話音量のアップやダウンを指示するようにしても良い。
【符号の説明】
【００５４】
１…音声通信装置、１２…音声符号化回路、１３…ＲＴＰ生成・送信回路、１４…ＲＴＰ受信・ロス監視回路、１５…音声復号回路、２０…符号化音声データバッファ、２１…ＲＴＰパケット組立部、２２…ペイロードサイズ制御部、２３…ヘッダ情報提供部、３０…ＲＴＰパケット分解部、３１…符号化音声データバッファ、３２…伝送レート指示部、３３…ロス率監視部。
【図１】
0005831095.tif 000002
【図２】
0005831095.tif 000003
【図３】
0005831095.tif 000004
【図４】
0005831095.tif 000005